(57)【要約】【課題】シャンプー台に安定した状態で支持でき、洗髪者の頭部がシャンプー台から上方に離れることがないばかりではなく、洗髪者の頸椎がぐらつくことがなく極めて安定した状態で支持することができる新規なシャンプー用頸椎支持具を提供する。【解決手段】シャンプー台Ｂの外側に取外し可能に固定される一方の固定部８と、シャンプー台Ｂの内側に取外し可能に固定される他方の固定部９と、上記一方の固定部８と他方の固定部９との間に形成され洗髪者の頸椎を支持する弾性材５と、を備えてなるシャンプー用頸椎支持具１であって、上記弾性材５は、低反発ポリウレタンフォームである。【選択図】  図１
2004173901.tif 000002
【特許請求の範囲】
【請求項１】
シャンプー台の外側に取外し可能に固定される一方の固定部と、シャンプー台の内側に取外し可能に固定される他方の固定部と、上記一方の固定部と他方の固定部との間に形成され洗髪者の頸椎を支持する弾性材と、を備えてなるシャンプー用頸椎支持具であって、
上記弾性材は、低反発ポリウレタンフォームであることを特徴とするシャンプー用頸椎支持具。
【請求項２】
前記低反発ポリウレタンフォームは、洗髪者の頸椎が支持された状態における荷重と同じかその荷重よりもやや小さな荷重をかけたときから徐々に撓み量が増大することを特徴とする請求項１記載のシャンプー用頸椎支持具。
【請求項３】
前記弾性材は、可撓性シートにより袋状に成形された袋部内に収容されてなるとともに、この袋部の下面には、発熱材が収容されるポケットが形成されてなることを特徴とする請求項１又は２記載のシャンプー用頸椎支持具。
【請求項４】
前記ポケット内と上記弾性材の収納空間とは、上記袋部に形成された開口を介して連通してなることを特徴とする請求項３記載のシャンプー用頸椎支持具。
【請求項５】
前記可撓性シートは、抗菌剤が含有され又は表面に塗布されてなることを特徴とする請求項３又は４記載のシャンプー用頸椎支持具。
【発明の詳細な説明】
【０００１】
【発明が属する技術分野】
本発明は、例えば、美容院や理髪店においてシャンプーをする際に、洗髪者を仰向けにした状態で頸椎（頭部）を支持する際に使用されるシャンプー用頸椎支持具に関するものである。
【０００２】
【従来の技術】
従来、美容院や理髪店においては、シャンプーをする際に、洗髪者を仰向けの状態とするとともに、シャンプー台の縁に頸椎を支持させた状態で行う場合（所謂バックシャンプーを行う場合）がある。このとき、洗髪者に与える苦痛を和らげるために、シャンプー台の縁と頸椎との間に、タオルやクッションを置く場合がある。しかし、こうしたタオルやクッションでは、取扱いが不便なことから、従来、シャンプー台に吸着する吸盤の上部に樹脂製の支柱を設け、この支柱の上端に、洗髪者の頸椎（頭部）が載置されるカマボコ型の台を設けた「業務用のバックシャンプーのマクラ」（例えば、特許文献１参照）や、洗髪時に後頭部下側周縁部を載置する部分とそれを支える部分よりなる洗髪用頭部支持台において、頂部は、後頭部下側周縁部を支持できるよう略Ｕ字状に形成し、後頭部下側周縁部に接する部分にはクッション材が皮膜してあり、底部は、略コ字状の台座部からなり、頂部とは逆対象状となるように形成された「洗髪用頭部支持台」（例えば、特許文献２参照）が提案されている。
【０００３】
【特許文献１】
特開平１１−１９６２９４号公報
【特許文献２】
実開平５−７０４０２号公報
【０００４】
【発明が解決しようとする課題】
しかしながら、上記特許文献１に係る「業務用のバックシャンプーのマクラ」では、このマクラそのものを安定した状態でシャンプー台に支持することができず、それ故に、洗髪者の頸椎（頭部）を載置した場合にも安定性に欠ける。しかも、支持された頸椎（頭部）と、シャンプー台とは離れてしまうことから、洗髪剤や水がシャンプー台の周りに飛散してしまうことを避けられない。また、上記特許文献２に係る「洗髪用頭部支持台」においても、上記特許文献１と同じように、この支持台そのものを安定した状態でシャンプー台に支持できない。しかも、上記特許文献１及び特許文献２では、頸椎（頭部）が支持される部位に、それぞれゴムスポンジ又はクッション材が形成されているが、頸椎乃至は頭部の荷重がこれらゴムスポンジやクッション材に作用した際、該頸椎乃至は頭部は広い範囲で支持される訳ではなく、局所的に支持されることから、シャンプー時においては、洗髪者の苦痛をある程度緩和することは可能であるとしても、ぐらつくことを否定できない。
【０００５】
そこで、本発明は、上述した従来の技術が有する課題を解決するために提案されたものであって、シャンプー台に安定した状態で支持でき、洗髪者の頭部がシャンプー台から上方に離れることがないばかりではなく、洗髪者の頸椎がぐらつくことがなく極めて安定した状態で支持することができる新規なシャンプー用頸椎支持具を提供することを目的とするものである。
【０００６】
【課題を解決するための手段】
本発明は、上記目的を達成するために提案されたものであって、第１の発明（請求項１記載の発明）は、シャンプー台の外側に取外し可能に固定される一方の固定部と、シャンプー台の内側に取外し可能に固定される他方の固定部と、上記一方の固定部と他方の固定部との間に形成され洗髪者の頸椎を支持する弾性材と、を備えてなるシャンプー用頸椎支持具であって、上記弾性材は、低反発ポリウレタンフォームであることを特徴とするものである。
【０００７】
この第１の発明では、シャンプー台の外側に取外し可能に固定される一方の固定部と、シャンプー台の内側に取外し可能に固定される他方の固定部と、上記一方の固定部と他方の固定部との間に形成され洗髪者の頸椎を支持する弾性材と、を備えてなることから、シャンプー台に対して安定した状態で支持させることができるばかりではなく、洗髪者の頭部がシャンプー台から上方に離れ、洗髪剤や水がシャンプー台から飛散することを有効に防止することができる。さらに、この第１の発明では、低反発ポリウレタンフォームを弾性材として使用したことから、洗髪者の頸椎であって、この低反発ポリウレタンフォームに接触する部位全体が面として支持されることとなり、シャンプーの際のぐらつきを有効に防止することができる。
【０００８】
なお、上記一方の固定部と他方の固定部は、例えば、該一方の固定部が、シャンプー台の外側に取外し可能に固定することができるものであれば、その数は特に限定されず、また、他方の固定部に関しても、該他方の固定部が、シャンプー台の内側に取外し可能に固定することができるものであれば、その数は特に限定されるものではない。但し、上記一方及び他方の固定部として、例えば、吸盤を使用する場合には、一方及び他方の固定部として、それぞれに１つずつ吸盤を設けることにより、使い勝手の良いものとすることができる。
【０００９】
また、第２の発明（請求項２記載の発明）は、上記第１の発明において、前記低反発ポリウレタンフォームは、洗髪者の頸椎が支持された状態における荷重と同じかその荷重よりもやや小さな荷重をかけたときから徐々に撓み量が増大することを特徴とするものである。
【００１０】
この第２の発明によれば、洗髪者の頸椎が支持されると、その部位のみが徐々に下方に撓み、凹部が形成される。この状態において、頭部全体を横方向に移動させる力がこの低反発ポリウレタンフォームに作用しても、その力での撓み量は極めて少ない。したがって、この第２の発明によれば、より一層頸椎が支持される部位を、面として安定的に支持することができ、シャンプー時のぐらつきを防止することができる。
【００１１】
なお、この低反発ポリウレタンは、ポリエーテルフォームとポリエステルフォームの何れも使用することができるが、ポリエーテルフォームの方がポリエステルフォームに比べて、クッション性が高く耐薬品性も良好であるばかりではなく、人の頭部の荷重（約３０Ｎ（Ｎ：ニュートン）前後）が作用することにより、その荷重よりも小さな荷重が作用したときよりも、撓み量が増加することから、洗髪者の頸椎（頭部）を安定的に支持するためには、ポリエーテルフォームを弾性材として使用することが好ましい。また、こうした低反発ポリウレタンフォームは、アキレス株式会社製造販売に係るアキレスアロン（アキレス株式会社の商品名）やその他同種のものを使用することができる。
【００１２】
また、第３の発明（請求項３記載の発明）は、上記第１又は第２の発明において、前記弾性材は、可撓性シートにより袋状に成形された袋部内に収容されてなるとともに、この袋部の下面には、発熱材が収容されるポケットが形成されてなることを特徴とするものである。
【００１３】
この第３の発明によれば、上記ポケット内に発熱材が収容されることにより、この発熱材からの熱により上記弾性材を加温することができる。したがって、この第３の発明によれば、気温の低い冬場においても、洗髪者の頸椎が支持された際に、洗髪者に冷たさを感じさせることがなく快適な状態でシャンプーを行うことができる。
【００１４】
なお、上記発熱材は、通気性を有する袋内に鉄を主成分とする粉体が収納され、上記鉄の酸化作用により発熱する市販の使い捨てカイロを使用することができる。こうした使い捨てカイロによれば、交換することにより、何度でも使用することができるばかりではなく、ある程度形状を変形させることができるので、シャンプー台に固定した場合でも、該シャンプー台の形状に馴染み易く、がたつきを招くことも防止することができる。
【００１５】
また、第４の発明（請求項４記載の発明）は、上記第３の発明において、前記ポケット内と上記弾性材の収納空間とは、上記袋部に形成された開口を介して連通してなることを特徴とするものである。
【００１６】
この第４の発明によれば、上記開口を介して発熱体からの熱を容易に弾性材に伝導させることができる。また、上記開口は、ポケット内と上記弾性材の収納空間とが連通するように形成されていることから、洗髪剤や水が、この開口から袋部内に流入することも防止することができる。
【００１７】
また、第５の発明（請求項５記載の発明）は、上記第３又は第４の発明において、前記可撓性シートは、抗菌剤が含有され又は表面に塗布されてなることを特徴とするものである。
【００１８】
この第５の発明によれば、細菌の発生を防止することができ、より清潔なものとすることができ、また、悪臭の発生や病気の感染を防ぐことができる。
【００１９】
なお、この抗菌剤としては、抗菌効果の持続性の点で、抗菌性金属を用いることが好ましい。この抗菌性金属は、例えば、銀，銅，亜鉛，錫，鉛，ビスマス，カドミウム，クロム，水銀等の金属又はその化合物を挙げることができる。また、こうした抗菌性金属等の抗菌剤は、上記可撓性シートの主成分である樹脂溶液又は樹脂エマルジョン液に添加し、次いで、この材料をシート状に成形したものであっても、或いは、成形された可撓性シートの表面に上記抗菌剤をコーティングしたものであっても良い。
【００２０】
【発明の実施の形態】
以下、本発明の一実施の形態に係るシャンプー用頸椎支持具（以下、支持具という。）について、図面を参照しながら詳細に説明する。
【００２１】
この実施の形態に係る支持具１は、図１に示すように、可撓性を有するシート体２により中央に袋部３が形成されてなるものである。上記シート体２は、ウレタン樹脂からなる合成皮革であって、抗菌性金属として銀を主成分とする抗菌剤が含有されている。また、このシート体２は、図３に示すように、それぞれ同一形状に成形された表面側シート２ａと裏面側シート２ｂとが、周縁側において互いに溶着されてなるものであって、上記中央部には、この表面側シート２ａと裏面側シート２ｂとにより囲まれ略楕円形状となされた収納空間４が形成され、この収納空間４内には、弾性材５が収納されている。また、図１に示すように、上記袋部３の外周側は、該袋部３を囲むように、上記表面側シート２ａと裏面側シート２ｂとが糸６により縫合されており、さらに、上記表面側シート２ａと裏面側シート２ｂとの外周側は、糸７により縫合されている。
【００２２】
また、上記シート体２の一端には、一方の固定部８が設けられ、シート体２の他端側には、他方の固定部９が設けられている。これら一方の固定部８は、図４に示すように、シャンプー台Ｂの外側面に着脱自在に固定されるものであり、上記他方の固定部９は、シャンプー台Ｂの内側面に着脱自在に固定されるものである。そして、この実施の形態においては、上記一方及び他方の固定部８，９は、それぞれ上記シート体２の表面に固定された表面側固定片８ａ，９ａと、上記シート体２の裏面に固定された裏面側固定片８ｂ，９ｂ（図２参照）と、上記表面側固定片８ａ，９ａの先端側に固定された支軸８ｃ，９ｃと、この支軸８ｃ，９ｃに回動可能に支持された吸盤８ｄ，９ｄとから構成されている。
【００２３】
また、上記袋部３内（収納空間４内）に収納された弾性材５は、低反発ポリウレタンフォームであり、さらに具体的には、ポリエーテルフォーム（アキレス株式会社製造販売に係るアキレスアロン（アキレス株式会社の商品名））である。このポリエーテルフォームは、人の頭部の荷重（約３０Ｎ（Ｎ：ニュートン）前後）が作用することにより、その荷重よりも小さな荷重が作用したときよりも撓み率が大きく上昇するものであり、上記収納空間４に対応した楕円形状に成形されたものである。
【００２４】
また、上記裏面側シート２ｂであって、上記袋部３に対応した位置には、楕円形状の補助シート１０が固定されている。この補助シート１０は、上記表面側シート２ａや裏面側シート２ｂと同じ素材からなるシート体であり、一側側は開放され、他の部位の周縁は上記裏面側シート２ｂに溶着されてなるとともに糸１１により縫合されている。すなわち、この支持具１の裏面側中央には、上記補助シート１０と裏面側シート２ｂとにより一側側が開放されたポケット１２が形成されている。このポケット１２は、図２に示す市販の使い捨てカイロＫが収容される部位である。なお、上記補助シート１０に対向する上記裏面側シート２ｂには、このポケット１２内と上記収納空間４とを連通する開口２ｃが形成されている。
【００２５】
したがって、上記支持具１を構成する一方の固定部８を、上記吸盤８ｄを介して上記シャンプー台Ｂの外側面に固定し、他方の固定部９を、上記吸盤９ｄを介して該シャンプー台Ｂの内側面に固定すると、図４に示すように、内部に上記弾性材５が収納された袋部３は、全体が撓みながら該シャンプー台Ｂの縁Ｂ１上に位置する。この状態において、洗髪者の頸椎Ｈが上方から載置され支持されると、その荷重が上記弾性材５に作用し、該弾性材５は、徐々に凹み、最終的には、図５に示すように、頸椎Ｈの形状に倣った状態に撓む。このとき、この頸椎Ｈは、最も下側で支持されるものではなく、上記撓んだ面全体で支持される。したがって、この状態において、頸椎Ｈが、図５中時計回り方向又はその逆方向に回転するように、左右に移動する力が作用しても、上記撓んだ部位は即座に撓むことがない。すなわち、この実施の形態に係る支持具１によれば、シャンプー中に頸椎Ｈが移動することを、上記弾性材５により規制することができ、安定した状態で頸椎Ｈを支持することができる。
【００２６】
また、冬場など気温が低い場合において、上記ポケット１２内に使い捨てカイロＫを収容することにより、該使い捨てカイロＫも上記シャンプー台Ｂの形状に倣い、洗髪者にとって違和感が無いばかりではなく、該使い捨てカイロＫからの熱が弾性材５に伝導することにより、洗髪者に対して冷たさを与えることなく快適にシャンプーをすることができる。特に、この実施の形態に係る支持具１では、上記裏面側シート２ｂには、ポケット１２内と上記収納空間４とを連通する開口２ｃが形成されていることから、使い捨てカイロＫからの熱を、この開口を介して容易に弾性材５に伝導させることができる。
【００２７】
また、この実施の形態に係る支持具１では、上記一方及び他方の固定具８，９が、それぞれ１つの吸盤８ｄ，９ｄを構成要素とされ、これらの吸盤８ｄ，９ｄを介してシャンプー台Ｂに着脱自在とされていることから、極めて操作性が良好であるとともに、位置決めも簡単なものとなり、さらには、シャンプー台Ｂの形状にばらつきがある場合であっても、確実に固定することができる。また、上記シート体２は、銀を主成分とする抗菌性金属が含有されているので、細菌の発生を防止することができ、より清潔なものとすることができ、また、悪臭の発生や病気の感染を防ぐことができる。
【００２８】
【発明の効果】
上述した本発明の一実施の形態の説明からも明らかなように、本発明（請求項１記載の発明）では、シャンプー台の外側に取外し可能に固定される一方の固定部と、シャンプー台の内側に取外し可能に固定される他方の固定部と、上記一方の固定部と他方の固定部との間に形成され洗髪者の頸椎を支持する弾性材と、を備えてなることから、シャンプー台に対して安定した状態で支持させることができるばかりではなく、洗髪者の頭部がシャンプー台から上方に離れ、洗髪剤や水がシャンプー台から飛散することを有効に防止することができる。さらに、この第１の発明では、低反発ポリウレタンフォームを弾性材として使用したことから、洗髪者の頸椎であって、この低反発ポリウレタンフォームに接触する部位全体が面として支持されることとなり、シャンプーの際のぐらつきを有効に防止することができる。
【００２９】
また、第２の発明（請求項２記載の発明）によれば、洗髪者の頸椎が支持されると、その部位のみが徐々に下方に撓み、凹部が形成される。この状態において、頭部全体を横方向に移動させる力がこの低反発ポリウレタンフォームに作用しても、その力での撓み量は極めて少ない。したがって、この第２の発明によれば、より一層頸椎が支持される部位を、面として安定的に支持することができ、シャンプー時のぐらつきを防止することができる。
【００３０】
また、第３の発明（請求項３記載の発明）によれば、上記ポケット内に発熱材が収容されることにより、この発熱材からの熱により上記弾性材を加温することができる。したがって、この第３の発明によれば、気温の低い冬場においても、洗髪者の頸椎が支持された際に、洗髪者に冷たさを感じさせることがなく快適な状態でシャンプーを行うことができる。
【００３１】
また、第４の発明（請求項４記載の発明）によれば、上記開口を介して発熱体からの熱を容易に弾性材に伝導させることができる。また、上記開口は、ポケット内と上記弾性材の収納空間とが連通するように形成されていることから、洗髪剤や水が、この開口から袋部内に流入することも防止することができる。
【００３２】
また、第５の発明（請求項５記載の発明）によれば、細菌の発生を防止することができ、より清潔なものとすることができ、また、悪臭の発生や病気の感染を防ぐことができる。
【図面の簡単な説明】
【図１】本発明の実施の形態に係るシャンプー用頸椎支持具を表面側から示す斜視図である。
【図２】図１に示すシャンプー用頸椎支持具を裏面側から一部破断して示す斜視図である。
【図３】シャンプー用頸椎支持具の断面図である。
【図４】図１に示すシャンプー用頸椎支持具をシャンプー台に固定した状態を示す斜視図である。
【図５】シャンプー台に固定されたシャンプー用頸椎支持具を示す断面図である。
【符号の説明】
１    シャンプー用頸椎支持具
２    シート体
２ｃ    開口
３    袋部
４    収納空間
５    弾性材
８    一方の固定部
９    他方の固定部
１２    ポケット
Ｂ    シャンプー台
Ｋ    使い捨てカイロ
【図１】
2004173901.tif 000003
【図２】
2004173901.tif 000004
【図３】
2004173901.tif 000005
【図４】
2004173901.tif 000006
【図５】
2004173901.tif 000007